【手続補正書】
【提出日】平成20年4月3日(2008.4.3)
【手続補正１】
【補正対象書類名】特許請求の範囲
【補正対象項目名】全文
【補正方法】変更
【補正の内容】
【特許請求の範囲】
【請求項１】
下記工程：
(ａ)  粒子状および可溶性物質を含有するサンプルを、表面上の活性基が１以上のシランと反応されているシリカフィルター媒体でろ過する、
(ｂ)  同時に粒子状物質の捕捉および目的とする可溶性成分のシリカフィルター媒体への結合を行う、および
(ｃ)  結合された目的可溶性成分をシリカフィルター媒体より溶離する、
を含有する、１以上の目的成分をサンプルより分離する方法。
【請求項２】
下記工程：
(ａ)  粒子状および可溶性物質を含有するサンプルを、表面上の活性基が１以上のシランと反応されているシリカフィルター媒体でろ過する、
(ｂ)  同時に粒子状物質の捕捉および望ましくない可溶性物質のシリカフィルター媒体上への結合を行う、
(ｃ)  ろ液を回収する、および
(ｄ)  ろ液より目的可溶性成分を回収する
を含有する、１以上の目的成分をサンプルより分離する方法。
【請求項３】
下記工程：
(ａ)  粒子状および可溶性物質を含有するサンプルを、表面上の活性基が１以上のシランと反応されているシリカフィルター媒体でろ過する、
(ｂ)  同時に粒子状物質の捕捉および第１の目的可溶性成分のシリカフィルター媒体上への結合を行う、
(ｃ)  ろ液を回収する、
(ｄ)第２の目的可溶性成分をろ液から回収する、
(ｅ)  結合している第１の目的可溶性成分をシリカフィルター媒体より溶離させる、および
(ｆ)  第１の目的可溶性成分を回収する
を含有する、目的可溶性成分をサンプルより分離する方法。
【請求項４】
さらに目的可溶性成分をろ液から精製する工程を含む、請求項２または３記載の方法。
【請求項５】
前記粒子状物質が物理的封じ込めおよび／またはシリカフィルター媒体への結合により捕捉される、請求項１〜３いずれかに記載の方法。
【請求項６】
前記粒子状物質が微生物、沈殿物、封入体または結晶である、請求項１〜３いずれかに記載の方法。
【請求項７】
前記微生物がグラム陽性細菌、グラム陰性細菌、菌類、酵母、カビ、またはウイルスである、請求項６記載の方法。
【請求項８】
ろ過工程の前に前記サンプルを前記シリカフィルター媒体と前混合する工程を有する、請求項１〜３いずれかに記載の方法。
【請求項９】
前記可溶性成分がシリカフィルター媒体へ静電、疎水性、または親水性相互作用によって結合される、請求項１〜３いずれかに記載の方法。
【請求項１０】
前記可溶性成分がポリペプチド、脂質、炭水化物、リポタンパク質、多糖、糖、脂肪酸、またはポリヌクレオチドである、請求項１〜３いずれかに記載の方法。
【請求項１１】
前記表面の活性基がドライまたはウエット工程により１以上のシランと反応されている、請求項１〜３いずれかに記載の方法。
【請求項１２】
前記シリカフィルター媒体がマクロポーラスシリカである、請求項１〜３いずれかに記載の方法。
【請求項１３】
前記シリカフィルター媒体が精製または未精製もみ殻灰、カラスムギ殻灰、または珪藻土である、請求項１２記載の方法。
【請求項１４】
前記シランが、下記の群：アルコキシ、ハロゲン、ヒドロキシ、アリールオキシ、アミノ、カルボキシ、シアノ、アミノアシル、アシルアミノ、アルキルエステル、アリールエステルから選択され、シリカフィルター媒体上の活性基と反応している１以上の加水分解性部分を有するものである、請求項１〜３いずれかに記載の方法。
【請求項１５】
前記シランが４級アンモニウム、アリール、エポキシ、アミノ、アミド、スルフリル、尿素、イソシアノ、ウレタン、エーテル、メタクリレート、イミダゾール、カルボニル、イソチオリウム、スルホネートおよびホスホネートからなる群から選択されるさらなる官能基部分を有している、請求項１４記載の方法。
【請求項１６】
前記アリール部分を有するシランが２-ヒドロキシ-４-(３-トリエトキシシリルプロポキシ)-ジフェニルケトンまたは((クロロメチル)フェニルエチル)トリメトキシシランである、請求項１５記載の方法。
【請求項１７】
前記アミノ部分を有するシランが２-(トリメトキシシリルエチル)ピリミジン、N-(３-トリメトキシシリルプロピル)ピロール、またはトリメトキシシリルプロピルポリエチレンイミンである請求項１５記載の方法。
【請求項１８】
前記尿素部分を有するシランがN-(トリエトキシシリルプロピル)-O-ポリエチレンオキシドウレタンである請求項１５記載の方法。
【請求項１９】
前記スルフヒドリル部分を有するシランが３-メルカプトプロピルトリエトキシシランである、請求項１５記載の方法。
【請求項２０】
前記カルボニル部分を有するシランが３-(トリエトキシシリル)プロピルコハク酸無水物である、請求項１５記載の方法。
【請求項２１】
前記イソシアノ部分を有するシランがトリス(３-トリメトキシシリルプロピル)イソシアヌレートまたは３-イソシアナートプロピルトリエトキシシランである請求項１５記載の方法。
【請求項２２】
前記エーテル部分を有するシランがビス[(３-メチルジメトキシシリル)プロピル]-ポリプロピレンオキシドである請求項１５記載の方法。
【請求項２３】
前記エポキシ部分を有するシランが２-(３,４-エポキシシクロヘキシル)エチルトリメトキシシランである、請求項１５記載の方法。
【請求項２４】
前記イミダゾール部分を有するシランがN-(３-トリエトキシシリルプロピル)-４,５-ジヒドロイミダゾールである、請求項１５記載の方法。
【請求項２５】
前記スルホネート部分を有するシランが２-(４-クロロスルホニルフェニル)-エチルトリクロロシランである、請求項１５記載の方法。
【請求項２６】
前記イソチオウリウム(isothiourium)部分を有するシランがトリメトキシシリルプロピルイソチオウロニウムクロライドである、請求項１５記載の方法。
【請求項２７】
前記アミド部分を有するシランがトリエトキシシリルプロピルエチル-カルバメート、N-(３-トリエトキシシリルプロピル)-グルコンアミドまたはN-(トリエトキシシリルプロピル)-４-ヒドロキシブチルアミドである、請求項１５記載の方法。
【請求項２８】
前記ウレタン部分を有するシランがN-(トリエトキシシリルプロピル)-O-ポリエチレンオキシドウレタンまたはO-(プロパルギルオキシ)-N-(トリエトキシシリルプロピル)ウレタンである、請求項１５記載の方法。
【請求項２９】
前記シランが下記：３-(トリメトキシシリル)プロピル-エチレンジアミントリ酢酸トリナトリウム塩；トリメトキシシリルプロピル-エチレンジアミントリ酢酸トリナトリウム塩および３-(トリヒドロキシシリル)プロピルメチルリン酸ナトリウム塩、からなる群から選択されるイオン性シランである、請求項１５記載の方法。
【請求項３０】
前記１以上のシランが３−アミノプロピルトリメトキシシランおよびＮ−(トリエトキシシリルプロピル)−Ｏ−ポリエチレンオキシドウレタン；３−トリヒドロシリルプロピルメチルリン酸ナトリウム塩およびＮ−(トリエトキシシリルプロピル)−Ｏ−ポリエチレンオキシドウレタン；Ｎ−トリメトキシシリルプロピル−Ｎ，Ｎ，Ｎ−Ｃｌ、トリメチルアンモニウムクロリドおよび(３−グリシドキシプロピル)トリメトキシシラン；３−トリヒドロシリルプロピルメチルリン酸ナトリウム塩およびビス−(２−ヒドロキシエチル)−３−アミノイソプロピルトリエトキシシラン；３−(Ｎ−スチリルメチル−２−アミノエチルアミノ)−プロピルトリメトキシシランハイドロクロライドおよびＮ−(トリエトキシシリルプロピル)−Ｏ−ポリエチレンオキシドウレタン；２−(トリメトキシシリルエチル)ピリジンおよびＮ−(３−トリエトキシシリルプロピル)−グルコンアミド；Ｎ−トリメトキシシリルプロピル−Ｎ，Ｎ，Ｎ−Ｃｌ、トリメチルアンモニウムクロリドおよびＮ−(３−トリエトキシシリルプロピル)−グルコンアミド；Ｎ−トリメトキシシリルプロピル−Ｎ，Ｎ，Ｎ−Ｃｌ、トリメチルアンモニウムクロリドおよび２−ヒドロキシ−４−(３−トリエトキシシリルプロポキシ)−ジフェニルケトン；３−メルカプトプロピルトリエトキシシランおよびＮ−(トリエトキシシリルプロピル)−Ｏ−ポリエチレンオキシドウレタン；３−(トリエトキシシリル)プロピルコハク酸無水物およびＮ−(トリエトキシシリルプロピル)−Ｏ−ポリエチレンオキシドウレタン；トリメトキシシリルプロピル−エチレンジアミン、トリ酢酸トリナトリウム塩およびＮ−(トリエトキシシリルプロピル)−Ｏ−ポリエチレンオキシドウレタン；２−(４−クロロスルホニルフェニル)−エチルトリクロロシランおよびＮ−(トリエトキシシリルプロピル)−Ｏ−ポリエチレンオキシドウレタン；および２−(４−クロロスルホニルフェニル)−エチルトリクロロシランおよびビス−(２−ヒドロキシエチル)−３−アミノイソプロピルトリエトキシシランからなる群から選択される、請求項１記載の方法。
【請求項３１】
もみ殻灰またはカラスムギ殻灰の表面活性基が下記２-ヒドロキシ-４-(３-トリエトキシシリルプロポキシ)-ジフェニルケトン、((クロロメチル)フェニルエチル)トリメトキシシラン、２-(トリメトキシシリルエチル)ピリミジン、N-(３-トリメトキシシリルプロピル)ピロール、トリメトキシシリルプロピルポリエチレンイミン、N-(トリエトキシシリルプロピル)-O-ポリエチレンオキシドウレタン、３-メルカプトプロピルトリエトキシシラン、３-(トリエトキシシリル)プロピルコハク酸無水物、トリス(３-トリメトキシシリルプロピル)イソシアヌレートまたは３-イソシアナートプロピルトリエトキシシラン、ビス[(３-メチルジメトキシシリル)プロピル]-ポリプロピレンオキシド、２-(３,４-エポキシシクロヘキシル)エチルトリメトキシシラン、N-[３-(トリエトキシシリル)プロピル]イミダゾールまたはN-(３-トリエトキシシリルプロピル)-４,５-ジヒドロイミダゾール、２-(４-クロロスルホニルフェニル)-エチルトリクロロシラン、トリメトキシシリルプロピルイソチオウロニウムクロリド、トリエトキシシリルプロピルエチル-カルバメート、N-(３-トリエトキシシリルプロピル)-グルコンアミドまたはN-(トリエトキシシリルプロピル)-４-ヒドロキシブチルアミド、N-(トリエトキシシリルプロピル)-O-ポリエチレンオキシドウレタンまたはO-(プロパルギルオキシ)-N-(トリエトキシシリルプロピル)ウレタン、３-(トリメトキシシリル)プロピル-エチレンジアミントリ酢酸トリナトリウム塩；トリメトキシシリルプロピル-エチレンジアミン、トリ酢酸トリナトリウム塩および３-(トリヒドロキシシリル)プロピルメチルリン酸ナトリウム塩からなる群から選択される１以上のシランと反応されているシラン処理もみ殻灰またはカラスムギ殻灰。
【請求項３２】
もみ殻灰またはカラスムギ殻灰の表面活性基が下記３-アミノプロピルトリメトキシシランおよびN-(トリエトキシシリルプロピル)-O-ポリエチレンオキシドウレタン；３-トリヒドロシリルプロピルメチルホスフォネート、ナトリウム塩およびN-(トリエトキシシリルプロピル)-O-ポリエチレンオキシドウレタン；N-トリメトキシシリルプロピル-N,N,N-Cl、トリメチルアンモニウムクロライドおよび(３-グリシドキシプロピル)トリメトキシシラン；３-トリヒドロキシシリルプロピルメチルフォスホネート、ナトリウム塩およびビス-(２-ヒドロキシエチル)-３-アミノイソプロピルトリエトキシシラン；３-(N-スチリルメチル-２-アミノエチルアミノ)-プロピルトリメトキシシランハイドロクロライドおよびN-(トリエトキシシリルプロピル)-O-ポリエチレンオキシドウレタン；２-(トリメトキシシリルエチル)ピリミジンおよびN-(３-トリエトキシシリルプロピル)-グルコンアミド；N-トリメトキシシリルプロピル-N,N,N-Cl、トリメチルアンモニウムクロライドおよびN-(３-トリエトキシシリルプロピル)-グルコンアミド；N-トリメトキシシリルプロピル-N,N,N-Cl、トリメチルアンモニウムクロライドおよび２-ヒドロキシ-４-(３-トリエトキシシリルプロポキシ)-ジフェニルケトン；３-メルカプトプロピルトリエトキシシランおよびN-(トリエトキシシリルプロピル)-O-ポリエチレンオキシドウレタン；３-(トリエトキシシリル)プロピルコハク酸無水物およびN-(トリエトキシシリルプロピル)-O-ポリエチレンオキシドウレタン；トリメトキシシリルプロピル-エチレンジアミン、トリ酢酸、トリナトリウム塩およびN-(トリエトキシシリルプロピル)-O-ポリエチレンオキシドウレタン；２-(４-クロロスルホニルフェニル)-エチルトリクロロシランおよびN-(トリエトキシシリルプロピル)-O-ポリエチレンオキシドウレタン；および２-(４-クロロスルホニルフェニル)-エチルトリクロロシランおよびビス-(２-ヒドロキシエチル)-３-アミノイソプロピルトリエトキシシランからなる群から選択される１以上のシランと反応されているシラン処理もみ殻灰またはカラスムギ殻灰。